(57)【特許請求の範囲】
【請求項１】
複数種類の物品を種類別に区分けするための複数の分類ポケットを備えた分類別収納部を有し、この分類別収納部はその内部に放射状に配設された複数の仕切板によって前記複数の分類ポケットが形成されて成り、前記各仕切板は垂直面に対して所定角度傾斜するように前記分類別収納部に対して回動可能に取り付けて成り、物品収納時にその物品の種類を示す分類情報が指定された際に、指定された分類情報に対応して分類ポケットを割り当てると共に、割り当てられた分類ポケットが、所定位置に設けられた物品投入口に対応する位置に来るまで前記分類別収納部を回転駆動させる分類別処理装置であって、
物品収納時に分類情報が指定された際に、当該分類情報に対応して分類ポケットが既に割り当てられているか否かを判別する第１の判別手段と、
この第１の判別手段によって分類ポケットが割り当てられていないことが判別された際に、前記物品投入口の対応位置にある現在の分類ポケットの位置から所定ポケット数分離れた位置にある分類ポケットを、最適ポケットとして指定する指定手段と、
この指定手段によって指定された最適ポケットに対して分類情報が既に割り当てられているか否かに基づいて当該最適ポケットが使用ポケットか未使用ポケットかを判別する第２の判別手段と、
この第２の判別手段によって未使用ポケットであることが判別された場合に、前記指定された分類情報を当該未使用ポケットに割り当てる割当手段と
を具備したことを特徴とする分類別処理装置。
【請求項２】
複数種類の物品を種類別に区分けするための複数の分類ポケットを備えた分類別収納部を有し、この分類別収納部はその内部に放射状に配設された複数の仕切板によって前記複数の分類ポケットが形成されて成り、前記各仕切板は垂直面に対して所定角度傾斜するように前記分類別収納部に対して回動可能に取り付けて成り、物品収納時にその物品の種類を示す分類情報が指定された際に、指定された分類情報に対応して分類ポケットを割り当てると共に、割り当てられた分類ポケットが、所定位置に設けられた物品投入口に対応する位置に来るまで前記分類別収納部を回転駆動させる分類別処理装置であって、
前記分類別収納部の回転駆動によって前記物品投入口の近傍に分類ポケットが来た際に、前記物品投入口の近傍に設けられた起立部材を作動させることにより、当該分類ポケットを構成する一方の仕切板を前記分類別収納部が停止するまでの回転を利用して傾斜状態から起立状態に立ち上げる立ち上げ手段と、
物品収納時に分類情報が指定された際に、当該分類情報に対応して分類ポケットが既に割り当てられているか否かを判別する第１の判別手段と、
この第１の判別手段によって分類ポケットが割り当てられていないことが判別された際に、前記仕切板の傾斜角度および仕切板の間隔を考慮して前記物品投入口の対応位置にある現在の分類ポケットの位置から所定ポケット数分離れた位置にある分類ポケットを、最適ポケットとして指定する指定手段と、
この指定手段によって指定された最適ポケットに対して分類情報が既に割り当てられているか否かに基づいて当該最適ポケットが使用ポケットか未使用ポケットかを判別する第２の判別手段と、
この第２の判別手段によって未使用ポケットであることが判別された場合に、前記指定された分類情報を当該未使用ポケットに割り当てる割当手段と
を具備し、前記指定された分類情報が割り当てられた未使用ポケットが前記物品投入口の対応位置に来るまで前記分類別収納部を一方向へ回転駆動させながら、当該未使用ポケットを構成する一方の仕切板が傾斜状態から起立状態となるように立ち上げるようにしたことを特徴とする分類別処理装置。
【請求項３】
前記指定手段によって指定された最適ポケットが前記判別手段によって使用ポケットであることが判別された場合に、当該最適ポケットの前後に位置する分類ポケットのうち未使用ポケットに前記指定された分類情報を割り当てるようにしたことを特徴とする請求項１あるいは２記載の分類別処理装置。
【発明の詳細な説明】
【０００１】
【発明の属する技術分野】
この発明は、伝票等を種類別に区分けする分類別処理装置に関する。
【０００２】
【従来の技術】
従来、公共料金、手形交換等の伝票を多量に扱う業務において、個々の伝票を種類別に区分ける場合、作業机の回りを取り込むように設置された棚には仕切板によって複数の分類収納スペースが形成されており、この分類収納スペース内に伝票を手作業によって収納するようにしている。すなわち、机上に設けられた入力端末装置から分類コードを入力すると、それに該当する収納スペースを指示するめのランプが点灯され、それを目印に伝票を手作業により、分類収納スペース内に投入するようにしていた。
また、自動化を図ったものとして分類入力された際に、該当する分類収納スペースの位置まで伝票を搬送してスペース内に自動収納するものが知られている。
【０００３】
【発明が解決しようとする課題】
しかしながら、前者のものにあっては、手作業を前提とするため、作業効率が悪く、また、伝票搬送機構を持った自動分類別処理装置にあっては、搬送機構を必要とするため大型化を招くと共に、多種多用なサイズや紙厚の伝票を搬送する際に、搬送路で紙詰まりが起り易い等の欠点があった。
そこで、本出願人は、伝票等の物品収納時に、その種類が指定されると、分類別収納部を回転駆動させ、指定された分類に対応する収納スペース位置を検出してそれを投入口に対応させる技術（特願平７−１０９１８７号：発明の名称「分類処理装置」）を提案した。
この分類処理装置においては、回転可能な分類別収納部内に複数の分類収納スペースを設け、物品の種類を指定するだけで、この種類に該当する収納スペースを物品投入口に位置させることができるので、自動区分けが可能となると共に、搬送路を必要としないため小型軽量化を実現することができ、しかも、紙詰まり等の問題も効果的に解消することができる。これによって最近のオフィス環境に適し、迅速性、正確性、操作性等に優れた分類処理装置を提供することが可能となった。
この発明の課題は、本出願人が先に提案した分類処理装置を改善したもので、分類別収納部を構成する収納スペースとしての各分類ポケット毎に、どのような種類の物品を収納させるかを示すために、前記分類別収納部を回転駆動させながら所定の分類情報に分類ポケットを新規に割り当てる際に、分類別収納部を短時間に回転駆動させる上で最も適した未使用の分類ポケットを指定することで、分類別収納部を一方向に回転駆動させながら迅速なポケット割り当てを実現できるようにすることである。
【０００４】
【課題を解決するための手段】
この発明の手段は次の通りである。
請求項１記載の発明は、複数種類の物品を種類別に区分けするための複数の分類ポケットを備えた分類別収納部を有し、この分類別収納部はその内部に放射状に配設された複数の仕切板によって前記複数の分類ポケットが形成されて成り、前記各仕切板は垂直面に対して所定角度傾斜するように前記分類別収納部に対して回動可能に取り付けて成り、物品収納時にその物品の種類を示す分類情報が指定された際に、指定された分類情報に対応して分類ポケットを割り当てると共に、割り当てられた分類ポケットが、所定位置に設けられた物品投入口に対応する位置に来るまで前記分類別収納部を回転駆動させる分類別処理装置であって、物品収納時に分類情報が指定された際に、当該分類情報に対応して分類ポケットが既に割り当てられているか否かを判別する第１の判別手段と、この第１の判別手段によって分類ポケットが割り当てられていないことが判別された際に、前記物品投入口の対応位置にある現在の分類ポケットの位置から所定ポケット数分離れた位置にある分類ポケットを、最適ポケットとして指定する指定手段と、この指定手段によって指定された最適ポケットに対して分類情報が既に割り当てられているか否かに基づいて当該最適ポケットが使用ポケットか未使用ポケットかを判別する第２の判別手段と、この第２の判別手段によって未使用ポケットであることが判別された場合に、前記指定された分類情報を当該未使用ポケットに割り当てる割当手段とを具備するものである。
【０００５】
なお、この発明は次のようなものであってもよい。
すなわち、複数種類の物品を種類別に区分けするための複数の分類ポケットを備えた分類別収納部を有し、この分類別収納部はその内部に放射状に配設された複数の仕切板によって前記複数の分類ポケットが形成されて成り、前記各仕切板は垂直面に対して所定角度傾斜するように前記分類別収納部に対して回動可能に取り付けて成り、物品収納時にその物品の種類を示す分類情報が指定された際に、指定された分類情報に対応して分類ポケットを割り当てると共に、割り当てられた分類ポケットが、所定位置に設けられた物品投入口に対応する位置に来るまで前記分類別収納部を回転駆動させる分類別処理装置であって、前記分類別収納部の回転駆動によって前記物品投入口の近傍に分類ポケットが来た際に、前記物品投入口の近傍に設けられた起立部材を作動させることにより、当該分類ポケットを構成する一方の仕切板を前記分類別収納部が停止するまでの回転を利用して傾斜状態から起立状態に立ち上げる立ち上げ手段と、物品収納時に分類情報が指定された際に、当該分類情報に対応して分類ポケットが既に割り当てられているか否かを判別する第１の判別手段と、この第１の判別手段によって分類ポケットが割り当てられていないことが判別された際に、前記仕切板の傾斜角度および仕切板の間隔を考慮して前記物品投入口の対応位置にある現在の分類ポケットの位置から所定ポケット数分離れた位置にある分類ポケットを、最適ポケットとして指定する指定手段と、この指定手段によって指定された最適ポケットに対して分類情報が既に割り当てられているか否かに基づいて当該最適ポケットが使用ポケットか未使用ポケットかを判別する第２の判別手段と、この第２の判別手段によって未使用ポケットであることが判別された場合に、前記指定された分類情報を当該未使用ポケットに割り当てる割当手段とを具備し、前記指定された分類情報が割り当てられた未使用ポケットが前記物品投入口の対応位置に来るまで前記分類別収納部を一方向へ回転駆動させながら、当該未使用ポケットを構成する一方の仕切板が傾斜状態から起立状態となるように立ち上げるようにしてもよい。
また、前記指定手段によって指定された最適ポケットが前記判別手段によって使用ポケットであることが判別された場合に、当該最適ポケットの前後に位置する分類ポケットのうち未使用ポケットに前記指定された分類情報を割り当てるようにしてもよい。
【０００６】
請求項１記載の発明によれば、物品収納時に分類情報が指定された際に、当該分類情報に対応して分類ポケットが既に割り当てられていない場合には、物品投入口の対応位置にある現在の分類ポケットの位置から所定ポケット数分離れた位置にある分類ポケットを指定するが、その際、分類収納部を回転駆動させる上で最も適した最適ポケットを指定し、それが未使用ポケットであることを条件に、指定分類情報が当該未使用ポケットに割り当てられる。
なお、請求項２記載の発明のように分類ポケットを構成する各仕切板を傾斜状態から起立状態に立ち上げるように構成したものにおいては、仕切板の傾斜角度およびその間隔を考慮して現在のポケット位置から所定ポケット数分離れた位置にあるポケットが最適ポケットとして指定されて指定分類情報が割り当てられる。
したがって、分類別収納部を構成する収納スペースとしての各分類ポケット毎に、どのような種類の物品を収納させるかを示すために、前記分類別収納部を回転駆動させながら所定の分類情報に分類ポケットを新規に割り当てる際に、分類別収納部の構造上それを短時間に回転駆動させる上で最も適した未使用の分類ポケットを指定することで、分類別収納部の構造特性にかかわらず、分類別収納部を一方向に回転駆動させながら迅速なポケット割り当てを実現することができる。
【０００７】
【発明の実施の形態】
以下、図１〜図１７を参照してこの発明の一実施形態を説明する。
図１は銀行の営業店に集められる公共料金や税金の領収済通知書、振込票、手形、小切手などの伝票を種類毎に区分けする分類別処理装置を示した外観斜視図である。
分類別処理装置１はその全体が机状に形成され、この天板部上の片側にはキーボード２や表示装置３が載置される。ここで、キーボード２や表示装置３は分類別処理装置１にケーブル接続されており、キーボード２は伝票の種類を示す分類コード等を入力したり、各種のコマンドを入力するもので、キーボード２から分類コードが入力されると、分類別処理装置１はそれに対応する伝票名を表示装置３から表示出力させる。表示装置３は透明タッチパネルが液晶表示画面に積層配置されてなり、キーボード２を補助するタッチ入力装置としての機能も合せ持っている。なお、図１に示してある分類別処理装置１の各構成要素（伝票出し入れ口等）については後で詳細に説明するものとする。
【０００８】
図２は分類別処理装置１内の主要構造を概念的に示したもので、（Ａ）は概略横断面図、（Ｂ）は概略縦断面図である。
分類別処理装置１の天板部内において分類ボックス５を支持する回転軸（支軸）４には分類ボックス５が回転可能に取り付けられている。分類ボックス５はその全体が有底円筒状に形成されてなるもので、その内部には放射状に配設された複数の仕切板６によって複数（この例では８０個）の分類収納スペース（分類ポケット）７が形成されている。この分類ポケット７は伝票を種類毎に分類収納するもので、分類ボックス５の外周面において、各分類ポケット７に対応する位置には、位置決め用のバーコード（スペース番号）８がそれぞれ付加されている。ここで、伝票収納時あるいは伝票取り出し時において、キーボード２から伝票の種類を指定する分類コードが入力されると、ステップモータ９が駆動されてその回転がベルト１０を介して分類ボックス５に伝達され、分類ボックス５を正逆転可能に回転駆動させる。その際、位置マークセンサ１１は分類ボックス５の外周面に付加され、分類情報を表現する位置決め用バーコード８を読み取るもので、入力された分類コードに該当するバーコード８が読み取られた際に、その位置で分類ボックス５が停止するようにステップモータ９の駆動が制御される。すなわち、位置マークセンサ１１は入力された分類コードに対応して予め割り当てられている分類ポケット７の位置を検出するバーコードリーダであり、検出された分類ポケット７が伝票出し入れ口１２（図１参照）に対向する位置に来るまで分類ボックス５は回転駆動される。
【０００９】
一方、図２（Ｂ）に示すようにステップモータ９の下方には電磁ブレーキ１３が設けられており、この電磁ブレーキ１３はステップモータ９の回転を減速停止させるものである。また、伝票出し入れ口１２の下側には伝票出し入れ口１２を自動開閉するシャッタ１４が設けられている。このシャッタ１４は分類ボックス５が回転駆動されているときに伝票出し入れ口１２を閉じるもので、誤って伝票が投入されるのを防ぐと共に危険防止を図り、更に、伝票出し入れ口１２を開放しているときには、図１に示すようその先端部が斜め下方に折り曲げられ、伝票投入時に伝票をガイドする役目を果す。
【００１０】
図３は分類ボックス５に仕切板６が取り付けられた取付状態を示し、分類ボックス５は上述のようにその全体が有底円筒状に形成されていると共に、その内部には小径の内周壁５ａが同心的に一体形成されている。この分類ボックス５を構成する外周壁の内側下部には一定間隔毎に、仕切板６を取り付けるための挿入孔５ｂが形成され、またこれに対向する内周壁５ａの下部にも挿入孔５ｃが形成されている。ここで、仕切板６はその全体が横長の平板状に形成されて成るもので、その長さ方向における両端下部には、係止突起６ａ、６ｂがそれぞれ延出されており、この係止突起６ａ、６ｂを分類ボックス５の対応する挿入孔５ｂ、５ｃに差し込むことで、仕切板６は分類ボックス５内に着脱自在に取り付けられる。この場合、内周壁５ａの内側には、各挿入孔５ｃに対向させた板バネ１５が形成されており、仕切板６を板バネ１５の弾性力に抗して内周壁５ａ側に押し込みながらスライドさせることにより、仕切板６の取り付け、取り外しを行うようにしている。
なお、仕切板６が分類ボックス５内に取り付けられているか否かを検出する仕切板センサ１６は、発光ダイオード、フォトトランジスタとから成る反射型センサであり、その反射光の有無によって仕切板６が取り付けられているか否かを検出する。ここで、分類ボックス５を１回転させる間に、各仕切板６の取り付け位置で反射光を受光しなければ、仕切板センサ１６は当該位置に仕切板６が取り付けられていないことを検出する。
【００１１】
このように仕切板６はその下部が着脱自在に支持され、その上部を自由端とし、垂直面に対して所定角度（４５°）傾斜するように、その下部を分類ボックス５に回動可能に取り付けたもので、仕切板６の長さ方向一端部（分類ボックス５の内周壁５ａ側）には、その中央部分から長さ方向に延びる板状の延出部６ｃが一体成形されている。この場合、仕切板６が垂直面に対して左右いずれの方向に傾いた際に、延出部６ｃの下端部が分類ボックス５を構成する内周壁５ａの上端部に突き当たることにより、仕切板６は右４５度あるいは左４５度傾斜した状態となる。つまり、内周壁５ａは仕切板６を左右４５度の傾斜位置で押さえるストッパーとしての機能を合せ持っている。なお、図４に示すように各仕切板６の延出部６ｃにおいてその一側面には、円筒状のスペイサー１７が取り付けられている。このスペイサー１７は仕切板６によって形成される分類ポケット７内に伝票が格納されていない状態においても、仕切板６の上端部同士が重なり合わないように所定大の開口部を保持させるものである。
【００１２】
図５は、キーボード２やタッチパネルから入力指定された指定分類に対応する分類ポケット７が伝票出し入れ口１２の位置にセットされた際の状態を示している。この場合、指定分類に対応する分類ポケット７を伝票出し入れ口１２の位置に停止させるために、ステップモータ９を減速し、該当する分類ポケット７が伝票出し入れ口１２の位置で停止する直前において、引き起しソレノイド（図示せず）を駆動させ、そのプランジャの先端部に取り付けられているピン状の仕切板起立部材２０が突き出される。これによって仕切板起立部材２０は、その分類ポケット７を形成する２枚の仕切板６のうち、当該ポケット７内に収納されている伝票の荷重を受けていない方の仕切板６を分類ボックス５の回転につれて除々に起立させるもので、分類ボックス５が完全に停止したときには、分類ポケット７の上部開口部を広げることによって伝票の投入をし易くしている。
【００１３】
すなわち、仕切板起立部材２０は引き起しソレノイドに連動して分類ボックス５内に突き出されたり、分類ボックス５内から引き抜かれるもので、伝票出し入れ口１２の近傍に設置されている。ここで、分類ボックス５の回転駆動によって伝票出し入れ口１２の近傍に所望の分類ポケット７が来た際に、仕切板起立部材２０は分類ボックス５内に突き出され、分類ポケット７を構成する一方の仕切板６を分類ボックス５が完全に停止するまでの回転を利用して傾斜状態から起立状態に立ち上げる。そして、伝票投入後においては、仕切板起立部材２０が分類ボックス５内から引き抜かれることにより起立している仕切板６は分類ボックス５の回転駆動によって再び傾斜状態に戻される。
また、伝票出し入れ口１２に伝票が投入された際に、分類ポケット７に伝票が投入されたか否かを検出するために、伝票出し入れ口１２の近傍にはフォトトランジスタ２１が複数（この例では３個）配設され、また、これに対応してシャッタ１４の先端部（フラップ部）には発光ダイオード２２が複数配設されており、これによって入口センサ２３が構成されている。
【００１４】
このように構成された分類ボックス５はその全体が有底円筒状に形成され、かつその内部は放射状に配列された各仕切板６によって複数（８０個）の分類ポケット７に分割されて成り、また各仕切板６は垂直面に対して４５度傾斜するようにその下部を分類ボックス５に対して回動可能に取り付けて成るから、例えば、仕切板６を固定的に垂直起立させた場合に比べ、分類ポケット７の上端開口部を広くすることができ、伝票の投入や取り出しが容易なものとなる。また、伝票は４５度に寝かせた状態で分類ポケット７内に格納されるため、分類ボックス５の高さをそれだけ低くすることができ、分類ボックス５の薄型化が可能となる。更に、伝票を寝かせることにより伝票の投入順も維持することができ、その後の作業を効率良く行うことが可能となる。また、伝票を垂直起立させて収納したものとすると、分類ボックス５の回転駆動によって伝票の束が“しごかれ”次第にその中央部分の伝票が持ち上がって来るようになるが、伝票を寝かせることによって伝票の収納状態が崩れることはなく、収納状態の崩れを効果的に防止することができる。このような理由によって仕切板６を所定角度傾斜させるようにしたが、その傾斜角度は４５度に限定されず、上述のような作用効果を有する角度であればよい。
【００１５】
図６は分類別処理装置１のシステム構成を示したブロック図である。
ＣＰＵ３１はＲＡＭ３２内にロードされている各種プログラムにしたがってこの分類別処理装置１の全体動作を制御する中央演算処理である。記憶装置３３はオペレーティングシステムや各種アプリケーションプログラム、データファイル、文字フォントデータ等が予め格納されている記憶媒体３４やその駆動系を有している。この記憶媒体３４は固定的に設けたもの、もしくは着脱自在に装着可能に設けたものであり、フロッピーディスク、ハードディスク、光ディスク、ＲＡＭカード等の磁気的・光学的記憶媒体、半導体メモリによって構成されている。また、記憶媒体３４内のプログラムやデータは、必要に応じてＣＰＵ３１の制御により、ＲＡＭ３２にロードされる。更に、ＣＰＵ３１は通信回線等を介して接続された他の機器側から送信されて来たプログラム、データを受信して記憶媒体３４に格納したり、他の機器側に設けられている記憶媒体に格納されているプログラム、データを通信回線等を介して使用することもできる。
【００１６】
ＲＡＭ３２は記憶媒体３４内の各種プログラムがロードされるプログラムメモリ（図示せず）の他に、図７に示すようにワークメモリ３２−１、分類先マスタファイル３２−２、ポケット種別管理ファイル３２−３、ポケット状態管理テーブル３２−４、最適ポケット移動量メモリ３２−５等を有する構成となっている。ワークメモリ３２−１は図８に示すような各種のレジスタを有する構成で、後述するＺ＿ＰＫレジスタ、Ｂ＿ＮＯレジスタ、Ｇ＿ＮＯレジスタ、Ｐ＿ＳＹＵレジスタ、Ｐ＿ＦＬＧレジスタ、ＰＫレジスタ、Ｚ＿Ｐ＿ＦＬＧレジスタ、Ｐ＿ＳＡＧＡＫＵレジスタ、ＢＥＳＴ＿Ｐレジスタが設けられている。
【００１７】
分類先マスタファイル３２−２は分類先名毎に分類先番号およびグループ番号を記憶するもので、図９は分類先マスタファイル３２−２として銀行マスタファイルの内容を例示したものである。ここで、銀行マスタファイルにおいて、「分類先名」とは伝票の送り先（相手先）の銀行名を示し、「分類先番号」はその銀行固有の識別番号である。また「グループ番号」とは伝票を分類（グループ）仕分けする際のグループ番号（論理ポケット番号）であり、例えば、分類先がＢ銀行、Ｄ銀行についてはその伝票を同一分類に仕分けるために、分類先マスタファイル３２−２にはＢ銀行、Ｄ銀行に対応するグループ番号としてそれぞれ同一のグループ番号「０２０」がセットされている。
このように分類先マスタファイル３２−２には分類先番号に対応してそのグループ番号が設定されて成るもので、グループ番号は分類ボックス５を構成する各分類ポケット７を指定するための論理ポケット番号を示すと同時に、複数の分類をグループ化して同一ポケットに仕分けることを示している。なお、図９は銀行マスタファイルを示したが、その他の分類先マスタファイル３２−２としては市町村別マスタファイル、都道府県別マスタファイル、受取人別マスタファイル等が存在する（図示せず）。
【００１８】
図１０はポケット種別管理ファイル３２−３の構成を示したもので、ポケット種別管理ファイル３２−３は伝票の仕分け業務に対応付けて業務別に、その業務を指示する業務コードと、ポケット割り当て種別（８０バイト）を記憶する。ここで、ポケットの割り当て種別を示すデータは分類ボックス５を構成する８０個の分類ポケット７に対応付けて各バイトに“１”か“０”のデータを任意に設定してなるもので、“１”は固定割り当て、“０”は可変割り当てを示している。すなわち、分類ボックス５を構成する各分類ポケット７のうち、予め決められている分類情報に対応して所定の分類ポケット７を固定的に割り当てる固定割り当てか、任意の分類ポケット７を可変的に割り当てる可変割当てかを各分類ポケット７毎に任意に設定されたデータである。この場合、分類先マスタファイル３２−２には分類先番号に対応してグループ番号が設定されており、この分類先番号にどの分類ポケット７を割り当てるかを決定する際に、ＣＰＵ３１はポケット種別管理ファイル３２−３の内容を参照し、固定割り当てが設定されている場合には、指定された分類先番号に、そのグループ番号で示される分類ボックス５を割り当てるが、可変割り当てが設定されている場合には、可変割り当てが設定されている各分類ポケット７の中からいずれかの分類ポケット７を選択し、指定された分類先番号にその分類ポケット７を割り当てる。
なお、業務としては例えば、公共料金収納業務、税金収納業務等であり、ポケット割り当て種別は仕分け業務毎に設定されている。
【００１９】
図１１はポケット状態管理テーブル３２−４の構成を示した図である。このポケット状態管理テーブル３２−４は分類ボックス５を構成する各分類ポケット７を管理するためのもので、各分類ポケット７毎にそれに対応付けられている「物理ポケット番号（ＰＫ番号）」と、「ポケット種別」、「使用フラグ」、「グループ番号」等を記憶するもので、「ポケット種別」はポケット種別管理ファイル３２−３の内容がそのまま転記されたものである。この場合、分類ボックス５内の各分類ポケット７を構成する仕切板６は上述したように任意に取り外し可能なもので、ポケット種別管理ファイル３２−３の内容をポケット状態管理テーブル３２−４に転記する際に、分類ボックス５を１回転させ、仕切板センサ１６によって仕切板６の有無を検出し、仕切板６が取り外されている場合には、それに対応する分類ポケット７のポケット種別として「Ｎ」が設定される。また、「使用フラグ」は対応する分類ポケット７の使用状態を示すもので、その値が“１”のときには使用中、“０”のときには未使用、“９”のときには使用不可を示している。すなわち、分類が割り当てられた分類ポケット７に対応する使用フラグには“１”がセットされるが、分類が割り当てられていないポケットには使用フラグとして“０”がセットされる。「グループ番号」は分類先マスタファイル３２−２から読み出されたグループ番号がセットされたもので、このグループ番号（論理ポケット番号）を介して各分類ポケット７のＰＫ番号（物理ポケット番号）と分類先マスタファイル３２−２内の分類先番号とが対応付けられる。すなわち、分類情報に分類ポケット７が割り当てられることになる。なお、仕分け業務の開始時には、ポケット種別、使用フラグ、グループ番号は全てクリアされている。
【００２０】
次に、この分類別処理装置１の動作を図１２〜図１６に示すフローチャートにしたがって説明する。なお、これらのフローチャートに記述されている各機能を実現するためのプログラムは、ＣＰＵ３１が読み取り可能なプログラムコードの形態で記憶媒体３４に記憶されており、その内容がＲＡＭ３２内のプログラムメモリにロードされている。
いま、ポケット種別管理ファイル３２−３には業務別にポケット種別データがユーザによって任意に設定されているものとする。
図１２は伝票仕分けの動作概要を示したフローチャートである。
先ず、仕分け業務を開始する際に、その業務コードを入力すると（ステップＡ１）、初期化処理が行われ、入力された業務コードに対応するポケット種別管理ファイル３２−３の内容がポケット状態管理テーブル３２−４に転記される。
【００２１】
図１３はこの初期化処理を示している。先ず、ＣＰＵ３１はワークメモリ３２−１内のＺ＿ＰＫレジスタをクリアする（ステップＢ１）。このＺ＿ＰＫレジスタは前回分のポケット番号（前回伝票を投入した分類ポケット７を示すポケット番号）を記憶するもので、仕分け業務の開始時には伝票の投入は行われていないので、それをクリアしておく。そして、入力された業務コードをキーとしてＣＰＵ３１はポケット種別管理ファイル３２−３を検索し、該当する８０バイト分のポケット種別データを読み出すと共に、これをポケット状態管理テーブル３２−４内のポケット種別フィールドに転記する（ステップＢ２）。次に、分類ボックス５を１回転させながら仕切板センサ１６によって仕切板６が所定位置に取り付けられているかを検出し、仕切板６が取り外されている場合には、ポケット状態管理テーブル３２−４内の該当ポケットに対応してその「ポケット種別」として「Ｎ」をセットしておく（ステップＢ３）。この場合、図１１に示すポケット状態管理テーブル３２−４にはＰＫ番号「００２」に対応するポケット種別として「Ｎ」が設定されているので、ＰＫ番号「００１」、「００２」で示される分類ポケット７は同一ポケットとして取り扱われる。
【００２２】
このような初期化処理が行われると、図１２のステップＡ３に進み、入力された分類先コードからポケット番号を取得する処理が行われる。
図１４はこのポケット番号取得処理を示し、先ず、テンキーやタッチキーから分類先番号が入力されると、ＣＰＵ３１はそれをＢ＿ＮＯレジスタにセットすると共に（ステップＣ１）、このＢ＿ＮＯレジスタの値をキーとして分類先マスタファイル３２−２を検索し、該当するグループ番号、つまり、論理ポケット番号を読み出してＧ＿ＮＯレジスタにセットする（ステップＣ２）。そして、このＧ＿ＮＯレジスタ内のグループ番号に該当し、かつ使用フラグが“１”（使用中）のＰＫ番号を検索してＰＫレジスタにセットする（ステップＣ３）。そしてステップＣ４ではＰＫ番号が検索できたかを判別する。つまり、入力された分類先番号に基づいてＰＫ番号を検索することができたか、換言すれば、物理ポケット番号（ＰＫ番号）に分類先番号がグループ番号（物理ポケット番号）を介して既に割り当てられており、しかも、当該ポケットが使用中であることを条件に、ＰＫ番号がＰＫレジスタにセットされる。このようにして入力された分類先番号に基づいて該当するＰＫ番号を取得することができた場合には、ステップＣ４でＹＥＳと判別され、図１４の処理はこの時点で終了する。
【００２３】
いま、仕分け業務の開始時には使用フラグは全て“０”で、グループ番号も全てクリアされているので、ステップＣ４で該当するＰＫ番号を検索することができなかった（割り当て済みではない）ことが検出されるため、ステップＣ５以下の処理に移る。すなわち、既に入力されている業務コードに該当するポケット種別データ（８０バイト）をポケット種別管理ファイル３２−３から読み出してこれをＰ＿ＳＹＵレジスタにセットしておき（ステップＣ５）、このポケット種別データの中からＧ＿ＮＯレジスタ内のグループ番号に対応するポケット種別を抽出してＰ＿ＦＬＧレジスタにセットする（ステップＣ６）。そして、このポケット種別は固定割り当てか、可変割り当てかを調べる（ステップＣ７）。ここで、ポケット種別が“１”（固定割り当て）であれば、Ｇ＿ＮＯレジスタ内のグループ番号をそのままＰＫ番号として確定し、ＰＫレジスタにセットする（ステップＣ８）。そして、このＰＫ番号に基づいてポケット状態管理テーブル３２−４をアクセスし、その使用フラグとして“１”をセットすると共に（ステップＣ９）、そのグループ番号としてＧ＿ＮＯレジスタの値をセットする（ステップＣ１０）。一方、可変割り当てであれば、ステップＣ１１に進み、後述する可変割り当て処理を実行する。そして、ステップＣ９、Ｃ１０に進み、そのＰＫ番号に対応して使用フラグに“１”をセットすると共に、グループ番号をセットする。
このようにポケット番号取得処理において、ＰＫ番号に分類先番号がグループ番号を介して既に割り当てられている場合には、入力された分類先番号に対応するＰＫ番号をそのまま取得するが、割り当てられていない場合には、分類先のグループ番号に該当するポケット種別を判別して固定割り当てあるいは可変割り当てを実行し、これによって得られたＰＫ番号を取得する。
【００２４】
図１５はステップＣ１１の可変ポケット割り当て処理を示したフローチャートである。
先ず、ＣＰＵ３１は最適ポケット移動量メモリ３２−５をアクセスし、予め設定されている最適ポケット移動量（６ポケット数）を読み出してＰ＿ＳＡＧＡＫＵレジスタにセットしておく（ステップＤ１）。そして、前回分のポケット番号をＺ＿ＰＫレジスタから読み出し、この前回分のポケット番号に最適ポケット移動量を加算し（ステップＤ２）、その値が最大ポケット数「８０」を越えたかをチェックする（ステップＤ３）。すなわち、前回ポケット番号に対応する分類ポケット７が伝票出し入れ口１２に位置している状態において、この分類ポケット７から正方向（例えば、時計方向）に最適ポケット移動量分（６ポケット分）離れた位置にある分類ポケット７を、分類ボックス５を短時間に回転駆動させる上で最も適した最適ポケットとして指定すると共に、指定した最適ポケットがポケット最大値である「８０」を越えたかをチェックする。ここで、最適ポケット移動量は、上述のように分類ポケット７を構成する仕切板６を所定角度傾斜させるように構成したこと、および仕切板起立部材２０によって仕切板６を傾斜状態から起立状態に引き起すようにしたこと、分類ボックス５を構成する分類ポケット７の数等を考慮して決定したものである。
【００２５】
すなわち、図１７（Ａ）はピン状の仕切板起立部材２０を分類ボックス５内に突き出して仕切板６を起立させた状態を示し、図中、Ａ１〜Ａ８０は８０個の分類ポケット７に対応する仕切板６を示し、Ｐ１〜Ｐ８０は分類ポケット７を示している。ここで、前回ポケットＰ１を構成する仕切板Ａ２を仕切板起立部材２０によって立ち上げた場合である。この状態において、分類ボックス５の回転時には仕切板起立部材２０を引き込んだのち分類ボックス５を回転駆動させると、各仕切板は傾斜状態となる（図１７（Ｂ）参照）。この場合、仕切板起立部材２０と仕切板Ａ３、Ａ４……との位置関係によって仕切板Ａ３、Ａ４……を起立させるためには、分類ボックス５を逆転させなければならない。そこで、図１７（Ａ）に示す状態から仕切板６の傾斜角度、およびその間隔を考慮して例えば６ポケット分離れた位置にある分類ポケット７を、分類ボックス５を短時間に回転駆動する上で最も適した最適ポケットとして指定することにより、図１７（Ｂ）に示すように分類ポケットＰ７が伝票出し入れ口１２の位置に来た際にそれを構成する一方の仕切板Ａ８を仕切板起立部材２０によって起立させることができるようになる。
【００２６】
なお、最適ポケット移動量として６ポケットを例に挙げたが、必ずしもこれに限定されず、仕切板６の傾斜角度、その間隔によってその値は任意であり、前回ポケット番号に対応する分類ポケット７が伝票出し入れ口１２に位置している状態（分類ポケット５が停止している状態）から分類ポケット５を回転駆動させる際に、分類ポケット５の構造特性を考慮し、分類ボックス５を短時間に回転駆動させる上で最も適した位置にある分類ポケット７を最適ポケットとして指定するようにしている。このようにして指定された最適ポケットは、可変割り当て時において、指定された分類情報を任意の分類ポケット７に割り当てるためのポケット候補となる。
【００２７】
ここで、ステップＤ３において、Ｚ＿ＰＫレジスタの値とＰ＿ＳＡＧＡＫＵレジスタの値とを加算した結果が最大ポケット数「８０」以内であれば、この値をＢＥＳＴ＿ＰＫレジスタにセットするが（ステップＤ４）、「８０」を越える場合には、この加算結果からポケット総数「８０」を減算した値をＢＥＳＴ＿ＰＫレジスタにセットする（ステップＤ５）。この場合、分類ボックス５を正逆転可能としたが、通常は分類ポケット５を一方向（例えば、時計方向）のみ回転駆動させるようにしており、ポケット総数を越えるポケット番号は存在しないのでステップＤ５の処理を行うようにしている。このようにしてＢＥＳＴ＿ＰＫレジスタには最適ポケット番号が割り当て候補としてセットされる。そして、ステップＤ６に進み、ポケット状態管理テーブル３２−４をアクセスし、ＢＥＳＴ＿ＰＫレジスタの値で示されるポケット種別および使用フラグを読み出し、割り当て候補として指定された最適ポケットは、ポケット種別＝０（可変ポケット）で、使用フラグ＝０（未使用ポケット）であるかをチェックする（ステップＤ７）。ここで、最適ポケットとして候補指定された分類ポケット７が可変ポケットであり、かつそのポケットに分類情報が割り当てられていない未使用ポケットであれば、当該ポケットを確定するために、ステップＤ１８に進み、ＢＥＳＴ＿ＰＫレジスタの値をＰＫレジスタにセットする。
【００２８】
一方、最適ポケットが固定割り当てとして指定されている固定ポケットであったり、既に分類情報が割り当てられている使用ポケットであれば（ステップＤ７でＮＯ）、ＢＥＳＴ＿ＰＫレジスタの値が最大ポケット数「８０」より小さいかを調べ（ステップＤ８）、小さければ、ＢＥＳＴ＿ＰＫレジスタの値に「１」を加算するが（ステップＤ９）、「８０」であれば、ＢＥＳＴ＿ＰＫレジスタに先頭ポケット番号「１」をセットする（ステップＤ１０）。すなわち、ステップＤ８〜Ｄ１０は最適ポケットの次のポケットを割り当て候補として指定するための処理である。そして、ステップＤ１１に進み、ポケット状態管理テーブル３２−４をアクセスし、ＢＥＳＴ＿ＰＫレジスタの値で示されるポケット種別および使用フラグを読み出し、割り当て候補として新たに指定されたポケットは、ポケット種別＝０で、使用フラグ＝０の条件を満すポケットかをチェックする（ステップＤ１２）。ここで、可変ポケットで、かつ未使用ポケットであれば、当該ポケットを確定するためにステップＤ１７に進むが、固定ポケットであったり、使用ポケットであれば、次の処理（ステップＤ１３〜Ｄ１９）に進む。
【００２９】
すなわち、ＢＥＳＴ＿ＰＫレジスタの値が「１」あるいは「２」でなければ（ステップＤ１３、Ｄ１４でそれぞれＮＯ）、その値から「２」を減算し、その値をＢＥＳＴ＿ＰＫレジスタにセットする（ステップＤ１５）。すなわち、最適ポケット位置から１つ先に進んだ前ポケットがＢＥＳＴ＿ＰＫレジスタにセットされている状態において、その値から「２」を減算することによって最適ポケットより１つ後のポケットを新たな割り当て候補として指定する。この場合、最適ポケットより１つ前のポケットがポケット番号「１」であれば（ステップＤ１３でＹＥＳ）、最適ポケットより１つ後のポケットとしてポケット番号「７９」がＢＥＳＴ＿ＰＫレジスタにセットされ（ステップＤ１６）、また、最適ポケットより１つ前のポケットがポケット番号「２」であれば、最適ポケットより１つ後のポケットとしてポケット番号「８０」がＢＥＳＴ＿ＰＫレジスタにセットされる（ステップＤ１７）。このようにして最適ポケットより１つ後のポケットが新たな割り当て候補として指定されると、ステップＤ１８に進み、ポケット状態管理テーブル３２−４をアクセスし、当該ポケットに対応するポケット種別および使用フラグを読み出し、このポケットはポケット種別＝０で、使用フラグ＝０の条件を満すポケットかをチェックする（ステップＤ１９）。ここで、これらの条件を満すものであれば、当該ポケットを確定する処理に移るが（ステップＤ２１）、条件不成立が検出されると（ステップＤ１９でＮＯ）、ステップＤ２０に進む。つまり、最適ポケットおよびその前後に位置するいずれのポケットも、固定ポケットか、使用ポケットである場合には、ステップＤ２０に進み、ポケット状態管理テーブル３２−４からポケット種別が“０”で、かつ使用フラグが“０”のＰＫ番号のうち、一番若いＰＫ番号をサーチしてこれをＰＫレジスタにセットする。
【００３０】
このようにして固定割り当てあるいは可変割り当てを実行することによってＰＫ番号を取得すると、図１３のステップＡ４に進み、ＰＫレジスタを参照し、これに該当する分類ポケット７が伝票出し入れ口１２の位置にセットされるまで分類ボックス５を回転駆動させる。図１６はこの場合の処理を詳細に示したフローチャートである。
いま、ＰＫレジスタには、今回入力された分類先番号に応じて図１４で示したポケット番号取得処理が実行され、これによって得られたポケット番号がセットされているので、このＰＫレジスタから今回の処理対象となるポケット番号を読み出し、それに該当する分類ポケット７が伝票出し入れ口１２の位置にセットされるまで分類ボックス５を回転駆動させると共にシャッタ１４をオープンさせる（ステップＥ１）。そして、伝票投入のメッセージ表示を行う（ステップＥ２）。
ここで、分類ボックス５の回転中に位置マークセンサ１１はその外周面に付された位置決め用バーコード８を読み取り、ＣＰＵ３１はその読み取り結果が、入力された分類コードに対応するスペース番号に一致するかを判断する。ここで、不一致が検出されれば、分類ボックス５を回転し続けるが、一致が検出されると、電磁ブレーキ１３をオンさせると共に、引き起しソレノイドをオンさせて仕切板起立部材２０を分類ボックス５内に進行させる。この場合、分類ボックス５は僅かに回転しており、その回転につれて仕切板起立部材２０によって仕切板６が除々に起立するようになる。そして、ＣＰＵ３１はステップモータ９をオフさせると共に、シャッタ１４を開放させる。いま、伝票が投入されると、入口センサ２３はそれを検出するが、投入されなければ、ＣＰＵ３１は投入すべき旨のメッセージ表示を行い、投入待ちとなる。一方、伝票が正常に投入された場合には、シャッタ１４を開成させると共に、電磁ブレーキ１３をオフし、更に引き起しソレノイドをオフして仕切板起立部材２０を分類ボックス５から後退させる。
次に、このＰＫレジスタ内のポケット番号を前回分のポケット番号とするために、ＰＫレジスタの内容をＺ＿ＰＫレジスタに転送すると共に（ステップＥ３）、Ｐ＿ＦＬＧレジスタ内のポケット種別をＺ＿Ｐ＿ＦＬＧレジスタに転送する（ステップＥ４）。
【００３１】
次に、図１２のステップＡ５に進み、明細終了か、つまり、伝票仕分けの終了を示す終了キーが操作されたかをチェックし、終了キーが操作されるまでステップＡ３に戻り、以下、同様の処理が繰り返される。そして、終了キーが操作されると、後処理が実行され（ステップＡ６）、ポケット状態管理テーブル３２−４内の各ＰＫ番号に対応する「ポケット種別」、「使用フラグ」、「グループ番号」がそれぞれクリアされる。
【００３２】
以上のように構成された分類別処理装置においては、予めポケット種別管理ファイル３２−３に各分類ポケット７に対応付けてそのポケット種別を任意に設定しておくと、伝票仕分け時に入力された分類先番号に基づいて分類割り当て処理が実行されるが、その際、入力された分類先番号に分類ポケット７が既に割り当てられていなければ、ＣＰＵ３１はポケット種別管理ファイル３２−３の内容を参照して固定割り当て処理あるいは可変割り当て処理を行う。この場合、分類先マスタファイル３２−２には分類先番号に対応して論理ポケット番号であるグループ番号が設定されているので、固定割り当て時には入力された分類先番号にそのグループ番号で示される分類ポケット７がそのまま割り当てられるが、可変割り当て時には可変割り当てが設定されている各分類ポケット７のうち、所定の未使用ポケットがその分類先番号に割り当てられる。したがって、ユーザは予め当日の業務予測に応じて各分類ポケット７毎に固定割り当て、可変割り当てを混在させて設定しておけば、当日の運用業務に合った適切な分類仕分けが可能となる。
【００３３】
ここで、可変割り当て時においては、伝票出し入れ口１２の位置にある前回ポケット位置から最適ポケット移動量分離れた位置にある分類ポケット７が最適ポケットとして指定され、このポケットが可変ポケットで、未使用ポケットであることを条件に、指定分類情報を当該ポケットに割り当てるようにしたので、仕切板６を傾斜させてそれを立ち上げる構造であっても、分類ボックス５を一方向へ回転駆動させながら条件に合ったポケットを割り当て対象とし、このポケットが伝票出し入れ口１２の位置にセットされるまでの分類ボックス５の回転駆動量を分類ボックス５の構造上、最少のものとすることができる。
また、最適ポケットが固定ポケットや使用ポケットでる場合には、その前後に位置するポケットのうち条件に合致するポケットが有れば、当該ポケットを割り当て対象とすることができるので、最適ポケットが条件不成立の場合でも、分類ボックス５の回転駆動量は最適ポケットの場合と略同様のものとなる。
【００３４】
なお、上述した一実施形態においては、仕切板起立部材２０を水平方向に突出するようにしたが、分類ボックス５の上方から垂直方向に突出するようにしてもよい。
また、固定割り当てか可変割り当てかを設定する場合、各分類ポケット７毎に“１”か“０”を設定する場合に限らず、可変割り当てのみを設定したらその他は全て固定割り当てであると認識したり、逆に、固定割り当てのみを設定したら、その他は全て可変割り当てであると認識するようにしてもよい。更に、通信回線やフロッピーディスク等によってポケット種別管理テーブル３２−３の内容を外部供給するようにしてもよい。
更に、伝票としては公共料金や税金の領収済通知書、振込票等に限らず、ビール券、旅館券、株配当金用紙などであってもよく、あるいは大学等の受験票、マークシート形式の解答用紙等であってもよく、更に、用紙に限らず、シート状、カード状の物品であってもよいことは勿論である。
【００３５】
【発明の効果】
この発明によれば、分類別収納部を構成する収納スペースとしての各分類ポケット毎に、どのような種類の物品を収納させるかを示すために、前記分類別収納部を回転駆動させながら所定の分類情報に分類ポケットを新規に割り当てる際に、分類別収納部を短時間に回転駆動させる上で最も適した未使用の分類ポケットを指定することで、分類別収納部を一方向に回転駆動させながら迅速なポケット割り当てを実現することができ、これによって仕分け作業を効率良く行うことが可能となる。。
【図面の簡単な説明】
【図１】分類別処理装置の外観斜視図。
【図２】分類別処理装置１内の主要構造を概念的に示したもので、（Ａ）は概略横断面図、（Ｂ）は概略縦断面図。
【図３】分類ボックス５に仕切板６を取り付けた状態を示した断面図。
【図４】分類ボックス５内に放射状に並列された各仕切板６のうち、その一部を示した拡大斜視図。
【図５】指定分類に対応する分類ポケット７が伝票出し入れ口１２の位置にセットされた際の状態を示した図。
【図６】分類別処理装置１の全体構成を示したブロック図。
【図７】ＲＡＭ３２の主要構成を示した図。
【図８】ＲＡＭ３２内に設けられているワークメモリ３２−１の主要構成を示した図。
【図９】ＲＡＭ３２内に設けられている分類先マスタファイル３２−２の内容を示した図で、銀行マスタファイルを例示した図。
【図１０】ＲＡＭ３２内に設けられているポケット種別管理ファイル３２−３の内容を示した図。
【図１１】ＲＡＭ３２内に設けられているポケット状態管理テーブル３２−４の内容を示した図。
【図１２】分類別処理装置１の全体動作の概要を示したフローチャート。
【図１３】図１２のステップＡ２（初期化処理）を詳細に示したフローチャート。
【図１４】図１２のステップＡ３（ポケット番号取得処理）を詳細に示したフローチャート。
【図１５】図１４のステップＣ１１（可変ポケット割り当て処理）を詳細に示したフローチャート。
【図１６】図１２のステップＡ４（ポケット回転駆動処理）を詳細に示したフローチャート。
【図１７】（Ａ）〜（Ｃ）は伝票出し入れ口１２の位置にある現在のポケットから最適ポケット移動量分離れた位置にある分類ポケット７を最適ポケットとして指定する理由を概念的に説明するための図。
【符号の説明】
１  分類別処理装置
２  キーボード
５  分類ボックス
６  仕切板
７  分類ポケット
８  位置決め用バーコード
９  ステップモータ
１１  位置マークセンサ
１２  伝票出し入れ口
２０  仕切板起立部材
３１  ＣＰＵ
３２  ＲＡＭ
３２−１  ワークメモリ
３２−２  分類先マスタファイル
３２−３  ポケット種別管理ファイル
３２−４  ポケット状態管理テーブル
３２−５  最適ポケット移動量メモリ
３３  記憶装置
３４  記憶媒体
【図１】
0003757503.tif 000002
【図２】
0003757503.tif 000003
【図３】
0003757503.tif 000004
【図４】
0003757503.tif 000005
【図５】
0003757503.tif 000006
【図６】
0003757503.tif 000007
【図７】
0003757503.tif 000008
【図８】
0003757503.tif 000009
【図９】
0003757503.tif 000010
【図１０】
0003757503.tif 000011
【図１１】
0003757503.tif 000012
【図１２】
0003757503.tif 000013
【図１３】
0003757503.tif 000014
【図１４】
0003757503.tif 000015
【図１５】
0003757503.tif 000016
【図１６】
0003757503.tif 000017
【図１７】
0003757503.tif 000018